(57)【特許請求の範囲】
【請求項１】
鏡本体と、複数のＬＥＤと、配線基板と、導光部とを含む照明灯付き鏡であって、
前記複数のＬＥＤは、前記配線基板の一面側において、発光面が前記一面とは反対側を向くように配置され、前記配線基板によって一体化されており、
前記配線基板は、前記一面とは反対側の他面が、前記鏡本体の鏡面とは反対側の背面に対向しており、
前記導光部は、前記ＬＥＤの発する光を誘導し、前記鏡本体の鏡面周辺を照明するものであって、前記複数のＬＥＤの発光面を覆っている、
照明灯付き鏡。
【請求項２】
請求項１に記載された照明灯付き鏡であって、
前記鏡本体は、金属板であり、前記鏡面がその金属板の一面を鏡面仕上げすることによって形成されている、
照明灯付き鏡。
【請求項３】
請求項１又は２に記載された照明灯付き鏡であって、
前記ＬＥＤのそれぞれは、放熱面が前記配線基板に接触している、
照明灯付き鏡。
【請求項４】
請求項１乃至３のいずれかに記載された照明灯付き鏡であって、
前記導光部は、光透過部と、光反射部とを含んでおり、
前記光透過部は、前記ＬＥＤの発する光を透過させるものであって、前記複数のＬＥＤの発光面を覆い、かつ、前記鏡本体の鏡面の周縁から立ち上がって前記光の出射面を構成しており、
前記光反射部は、前記光を反射するものであって、前記光透過部の外周面を覆っている、
照明灯付き鏡。
【発明の詳細な説明】
【技術分野】
【０００１】
本発明は、ＬＥＤ（発光ダイオード）によって、暗所、及び、湿度の高い場所における鏡面の視認性を確保し、かつ、ＬＥＤの着脱の作業性能に優れた照明灯付き鏡に関する。
【背景技術】
【０００２】
鏡は、洗面台や風呂場等の湿度の高い場所、又は、暗所での鏡面の視認性を確保するために、鏡面を加熱して結露を防止する手段、及び、照明手段が必要である。
【０００３】
このような手段を備えた鏡は、例えば、特許文献１に開示されている。特許文献１の鏡は、鏡面の結露防止手段、及び、照明手段として鏡の背面にＬＥＤを備えている。
【０００４】
しかし、特許文献１の鏡は、ＬＥＤを１つずつ鏡の背面に着脱する必要があり、複数のＬＥＤを着脱する場合には、その着脱作業に時間を要すると考えられる。それ故、特許文献１の鏡は、ＬＥＤの着脱の作業性能を向上させることによって、ＬＥＤの着脱の作業時間を短縮する余地が残っている。
【先行技術文献】
【特許文献】
【０００５】
【特許文献１】特開２０１１−０１５９０９号公報
【発明の概要】
【発明が解決しようとする課題】
【０００６】
本発明の課題は、ＬＥＤによって、暗所、及び、湿度の高い場所における鏡面の視認性を確保し、かつ、ＬＥＤの着脱の作業性能に優れた照明灯付き鏡を提供することである。
【課題を解決するための手段】
【０００７】
上述した課題を解決するため、本発明に係る照明灯付き鏡は、鏡本体と、複数のＬＥＤと、配線基板とを含む。複数のＬＥＤは、配線基板の一面側に配置され、配線基板によって一体化されている。配線基板は、一面とは反対側の他面が、鏡本体の鏡面とは反対側の背面に対向している。
【０００８】
照明灯付き鏡は、鏡本体と、複数のＬＥＤとを含むため、複数のＬＥＤを光源、及び、熱源として利用することができ、暗所、及び、湿度の高い場所における鏡面の視認性を確保することができる。
【０００９】
照明灯付き鏡は、配線基板を含み、複数のＬＥＤが配線基板の一面側に配置され、配線基板によって一体化されているため、配線基板を介して複数のＬＥＤを一体的に取り扱うことができ、複数のＬＥＤを１つずつ取り扱うタイプのものよりも、ＬＥＤの着脱の作業性能に優れ、ＬＥＤの着脱の作業に要する時間を短縮することができる。
【００１０】
配線基板は、一面とは反対側の他面が、鏡本体の鏡面とは反対側の背面に対向しているため、鏡面を遮ることなく、複数のＬＥＤからの熱を鏡本体に伝導できる。また、複数のＬＥＤの発光面が鏡本体によって閉じられることはなくなり、複数のＬＥＤからの光を照明用途として効率的に取り出すことができる。
【００１１】
鏡本体は、金属板であり、鏡面がその金属板の一面を鏡面仕上げすることによって形成されていることが好ましい。このような構造によると、鏡本体は、鏡面機能を発揮し、かつ、高熱伝導体としても機能し、鏡面に付着した水分の蒸発性能、即ち、鏡面の結露防止機能に優れたものとなる。
【００１２】
ＬＥＤのそれぞれは、放熱面が配線基板に接触していることが好ましい。このような構造によると、ＬＥＤのそれぞれは、発光にともなって放熱される熱を効率よく配線基板に伝熱できる。
【００１３】
照明灯付き鏡は、導光部を含み、導光部が、ＬＥＤの発する光を誘導し、鏡本体の鏡面周辺を照明することが好ましい。このような構造によると、照明灯付き鏡は、ＬＥＤの発光によって、暗所における鏡面の視認性を確実に確保することができる。
【発明の効果】
【００１４】
以上に述べたように、本発明によれば、ＬＥＤによって、暗所、及び、湿度の高い場所における鏡面の視認性を確保し、かつ、ＬＥＤの着脱の作業性能に優れた照明灯付き鏡を提供することができる。
【００１５】
本発明の構成、及び、利点については、添付図面を参照し、更に詳しく説明する。添付図面は、単に、例示に過ぎない。
【図面の簡単な説明】
【００１６】
【図１】本発明の実施形態に係る照明灯付き鏡の外観斜視図である。
【図２】図１に示され照明灯付き鏡の正面側からの分解斜視図である。
【図３】図１に示され照明灯付き鏡の背面側からの分解斜視図である。
【図４】図１の４−４線断面図である。
【発明を実施するための形態】
【００１７】
図１〜図４において、同一又は対応部分には、同一の符号を付与してある。図１〜図４を参照すると、本発明に係る照明灯付き鏡は、鏡本体１と、複数のＬＥＤ５と、配線基板３と、導光部７とを含んでいる。
【００１８】
鏡本体１は、対象物体を映す鏡面Ｓ１１と、鏡面Ｓ１１とは反対側の背面Ｓ１２とを有している。鏡本体１は、ガラス板よりも熱伝導性に優れた（例えば、熱伝導率の高い）一層の金属板である。その金属板は、好ましくは、コスト的に優れているアルミニウム板、銅板、又は、それらの合金板である。鏡面Ｓ１１は、その金属板の一面を鏡面仕上げすることによって形成されている。鏡面Ｓ１１は、傷が付かないように表面コーティングされていることが好ましい。
【００１９】
鏡本体１の板厚は、背面Ｓ１２から伝導してくる熱が鏡面Ｓ１１の全体に伝導し、鏡面Ｓ１１の結露が防止される厚さになっている。また、図示した範囲で、鏡本体１の輪郭は、矩形状であるが、円形状又は星形状など他の形状であっても構わない。
【００２０】
配線基板３は、汎用のものであって、絶縁性基板に電極３１と、配線パターン（図示省略）とが設けられている。配線基板３は、電極３１に外部電源の端子（図示省略）を接続することによって、配線基板３の一面Ｓ３１に搭載された電子部品に配線パターンを介して電力を供給することができる。
【００２１】
配線基板３は、一面Ｓ３１とは反対側の他面Ｓ３２が、鏡本体１の背面Ｓ１２に対向しており、鏡本体１の背面Ｓ１２に公知の手段で着脱可能に取り付けられている。また、配線基板３は、他面Ｓ３２が鏡本体１の背面Ｓ１２に直接接触している。
【００２２】
図示した範囲で、配線基板３は、一面Ｓ３１、及び、他面Ｓ３２が、鏡本体１の背面Ｓ１２と同形、同面積になっているが、これに限られるものではなく、任意の形状、及び、大きさにすることができる。例えば、配線基板３は、一面Ｓ３１、及び、他面Ｓ３２の面積が鏡本体１の背面Ｓ１２の面積の半分以下で、複数枚で鏡本体１の背面Ｓ１２を覆う大きさにすることができる。配線基板３の板厚は、一面Ｓ３１に搭載された電子部品の放熱する熱を他面Ｓ３２に伝導することができる厚さとなっている。
【００２３】
複数のＬＥＤ５は、Ｎ行Ｍ列（Ｎ及びＭは、Ｎ＋Ｍ≧３，Ｎ≧１，及び、Ｍ≧１の関係を満たす整数）のマトリクス状に配線基板３の一面Ｓ３１側に配置されており、配線基板３によって一体化されている。複数のＬＥＤ５は、必ずしもマトリクス状に配置される必要は無く、ランダムな配置とすることもできる。
【００２４】
複数のＬＥＤ５のそれぞれは、赤色ＬＥＤ、緑色ＬＥＤ、又は、青色ＬＥＤであって、その外面が発光面Ｓ５１（図４）と、放熱面Ｓ５２（図４）とに区分けされている。放熱面Ｓ５２は、ＬＥＤ５の外面のうち発光面Ｓ５１を除く部分である。
【００２５】
複数のＬＥＤ５のそれぞれは、発光面Ｓ５１が鏡本体１とは反対側を向き、放熱面Ｓ５２が配線基板３の一面Ｓ３１に直に接触した状態で配線基板に搭載されている。ＬＥＤ５のそれぞれは、配線基板３の配線パターンに接続されており、配線パターンを介して電力供給されると発光面Ｓ５１から赤色、緑色、又は、青色の光Ｌ（図４）を発し、その発光にともなう発熱を放熱面Ｓ５２から熱Ｈ（図４）として放熱する。複数のＬＥＤ５が発光にともなって放熱した熱Ｈは、ＬＥＤ５の放熱面Ｓ５２のうち配線基板３に接触した部分から配線基板３に伝導し、さらに、その熱Ｈは、鏡本体１の背面Ｓ１２から鏡面Ｓ１１に向かって伝導し、鏡面Ｓ１１を加熱する。鏡面Ｓ１１は、加熱されることによって結露しなくなる。
【００２６】
導光部７は、光透過部７１と、光反射部７３とを含んでいる。光透過部７１は、汎用の導光板を屈曲したものであって、複数のＬＥＤ５の発光面Ｓ５１から発せられた光Ｌを透過させる。光透過部７１は、内周面Ｓ７１で鏡本体１の側面全体、配線基板３の側面全体及び一面Ｓ３１、及び、複数のＬＥＤ５の発光面Ｓ５１を覆っている。光透過部７１は、内周面Ｓ７１のうち、鏡本体１の鏡面Ｓ１１の周縁から立ち上がっている部分が光出射面Ｓ７１１となっている。光反射部７３は、汎用の光反射シートであって、複数のＬＥＤ５の発光面Ｓ５１から出射された光Ｌを反射する。光反射部７３は、光透過部７１の外周面Ｓ７２の全体を覆っている。
【００２７】
導光部７は、複数のＬＥＤ５の発する光Ｌを光反射部７３で乱反射させながら、光透過部７１を通じて光出射面Ｓ７１まで誘導し、光Ｌを光出射面Ｓ７１１から鏡本体１の鏡面Ｓ１１の上に出射して鏡面Ｓ１１の周辺を照明する。
【００２８】
上述した照明灯付き鏡は、鏡本体１と、複数のＬＥＤ５とを含み、ＬＥＤ５のそれぞれは、発光面Ｓ５１から光Ｌを発し、かつ、その発光にともなう発熱を放熱面Ｓ５２から熱Ｈとして放熱する。これにより、複数のＬＥＤ５を、鏡面Ｓ１１を照明する光源、及び、湿度の高い場所における鏡面Ｓ１１の結露を防止する熱源として利用することができる。よって、照明灯付き鏡は、暗所、及び、湿度の高い場所における鏡面Ｓ１１の視認性を確保することができる。
【００２９】
照明灯付き鏡は、配線基板３を含み、複数のＬＥＤ５が配線基板３の一面Ｓ３１側に配置され、配線基板３によって一体化されているため、配線基板３を介して複数のＬＥＤ５を一体的に取り扱うことができ、複数のＬＥＤ５を１つずつ取り扱うタイプのものよりもＬＥＤ５の着脱の作業性能に優れる。具体的には、照明灯付き鏡は、配線基板３の着脱によって、複数のＬＥＤ５をまとめて鏡本体１に着脱できるようになるため、複数のＬＥＤ５を１つずつ着脱するタイプのものよりも、ＬＥＤ５の着脱作業に要する時間を短縮することができる。
【００３０】
ＬＥＤ５のそれぞれは、発光面Ｓ５１が鏡本体１とは反対側を向くように配線基板に搭載されており、導光部の光透過部７１が複数のＬＥＤ５の発光面Ｓ５１を覆う関係にあるため、発光面Ｓ５１から光Ｌを光透過部７１に向けて発することができる。
【００３１】
ＬＥＤ５のそれぞれは、放熱面Ｓ５２が配線基板３の一面Ｓ３１に直に接触しているため、ＬＥＤ５の発光にともなって放熱面Ｓ５２から放熱される熱Ｈを効率よく配線基板３に伝導することができる。
【００３２】
配線基板３は、一面Ｓ３１とは反対側の他面Ｓ３２が、鏡本体１の鏡面Ｓ１１とは反対側の背面Ｓ１２に対向しているため、鏡面Ｓ１１を遮ることなく、複数のＬＥＤ５からの熱Ｈを他面Ｓ３２かから鏡本体１の背面Ｓ１２に伝導できる。また、複数のＬＥＤ５の発光面Ｓ５１が鏡本体１によって閉じられることはなくなり、ＬＥＤ５からの光Ｌを照明用途として効率的に取り出すことができる。
【００３３】
配線基板３は、他面Ｓ３２が鏡本体１の背面Ｓ１２に直に接触しているため、複数のＬＥＤ５が放熱する熱Ｈを鏡本体１の背面Ｓ１２に効率よく伝導することができる。
【００３４】
配線基板３は、鏡本体１の背面Ｓ１２に着脱可能に取り付けられているため、作業性能に優れる。例えば、配線基板３そのもの、或いは、配線基板３に搭載されたＬＥＤ５に対して作業を加える場合、配線基板３を鏡本体１から取り外してその作業を行うことができるようになり、作業中に鏡本体１の鏡面Ｓ１１に傷を付けてしまうような不具合を防止できる。
【００３５】
鏡本体１は、ガラス板よりも熱伝導性に優れた（例えば、熱伝導率の高い）金属板一層であって、鏡面Ｓ１１がその金属板の一面を鏡面仕上げすることによって形成されている。このような構造によると、鏡本体１は、鏡面機能を発揮し、かつ、ガラス板の背面に銀やアルミなどの金属を蒸着したものよりも、高熱伝導体として機能し、鏡面Ｓ１１に付着した水分の蒸発性能、即ち、鏡面Ｓ１１の結露防止機能に優れたものとなる。さらに、鏡本体１は、一層の金属板に鏡面機能、及び、高熱伝導体としての機能を集約できるため、照明灯付き鏡の構造の単純化、及び、小型化に資する。
【００３６】
導光部７は、複数のＬＥＤ５の発する光Ｌを光反射部７３で乱反射させながら、光透過部７１を通じて光出射面Ｓ７１まで誘導し、光Ｌを光出射面Ｓ７１から鏡本体１の鏡面Ｓ１１の上に出射して鏡面Ｓ１１の周辺を照明する。このような構造によると、照明灯付き鏡は、ＬＥＤ５の光によって、暗所における鏡面Ｓ１１の視認性を確実に確保することができる。
【００３７】
本発明に係る照明灯付き鏡は、洗面化粧用、浴室用、姿見用、ドア用、パーティション用、天井用等のあらゆる用途に適用させることができる。
【００３８】
以上、好ましい実施例を参照して本発明の内容を具体的に説明したが、本発明の基本的技術思想、及び、教示に基づいて、当業者であれば、種々の変形態様を採り得ることは自明である。
【符号の説明】
【００３９】
１                  鏡本体
Ｓ１１              鏡面
Ｓ１２              背面
３                  配線基板
３１                電極
Ｓ３１              一面
Ｓ３２              他面
５                  ＬＥＤ
Ｓ５１              発光面
Ｓ５２              放熱面
Ｈ                  熱
Ｌ                  光
７                  導光部
７１                光透過部
Ｓ７１              内周面
Ｓ７２              外周面
Ｓ７１１            光出射面
７３                光反射部
【要約】
【課題】本発明の課題は、ＬＥＤによって、暗所、及び、湿度の高い場所における鏡面の視認性を確保し、かつ、ＬＥＤの着脱の作業性能に優れた照明灯付き鏡を提供することである。
【解決手段】本発明に係る照明灯付き鏡は、鏡本体１と、複数のＬＥＤ５と、配線基板３とを含む。複数のＬＥＤ５は、配線基板３の一面Ｓ３１側に配置され、配線基板３によって一体化されている。配線基板３は、一面Ｓ３１とは反対側の他面Ｓ３２が、鏡本体１の鏡面Ｓ１１とは反対側の背面Ｓ１２に対向している。
【選択図】図３【図１】
0005543657.tif 000002
【図２】
0005543657.tif 000003
【図３】
0005543657.tif 000004
【図４】
0005543657.tif 000005